(57)【要約】【目的】足場板側に何の加工も施す必要がなく、在来の足場板をそのまま使用できると共に、足場板への取付け及び取外しを簡単容易に行える足場板用幅木を提供する。【解決手段】足場板１の側縁部５上に起立姿勢に配置される幅木本体４を有し、幅木本体４の一端部には、足場用建枠の横材２を挟んでその両側に対向配置される両足場板１，１の対向端部上面に亘って支持される取付部材３を連結し、取付部材３の中央部には、横材２を足場板掛止用フック８の内側面近傍位置で掴持する掴持手段９を設け、取付部材３の先端部には、幅木本体４の他端部を嵌挿する幅木本体端部嵌挿部１１を設け、取付部材３の両端部には、各足場板１の外側端面６に支持されるアウトガイド１０を設けている。【選択図】        図２
2005042309.tif 000002
【特許請求の範囲】
【請求項１】
足場板の側縁部上に起立姿勢に配置される幅木本体を有し、この幅木本体の一端部には、足場用建枠の横材を挟んでその両側に対向配置される両足場板の対向端部上面に亘って支持される取付部材を連結し、この取付部材の中央部には、前記横材を足場板掛止用フックの内側面近傍位置で掴持する掴持手段を設け、取付部材の先端部には、幅木本体の他端部を嵌挿する幅木本体端部嵌挿部を設け、取付部材の両端部には、各足場板の外側端面に支持されるアウトガイドを設けてなる足場板用幅木。
【請求項２】
掴持手段は、夫々下端部に掴持用フック部を形成し、両掴持用フック部が足場用建枠の横材を掴持する閉鎖位置と横材を解放する開放位置とに開閉自在に取付部材に枢着された一対の掴持アームと、両掴持アームの両掴持用フック部を閉鎖位置に付勢するバネと、両掴持アームの両掴持用フック部を閉鎖位置に固定するロック手段とからなる請求項１に記載の足場板用幅木。
【請求項３】
両掴持用フック部の下端部には、両掴持用フック部の下端部を上方から足場用建枠の横材に押し当てることにより両掴持用フック部をバネの付勢力に抗して開放させるように案内するテーパガイドを設けてなる請求項１又は２に記載の足場板用幅木。
【請求項４】
ロック手段は、掴持アームの枢着部を挟んで掴持用フック部と反対側の操作用端部間で取付部材に回転自在に取り付けられた長円形の回転カム体と、回転カム体を回転操作する操作レバーとからなるもので、回転カム体をその長手方向が操作レバーと直交するように回転操作することにより、両操作用端部の対向方向への揺動を阻止して両掴持用フック部を閉鎖位置にロックし、その長手方向が操作レバーと平行するように回転操作することによってロック解除するようになっている請求項２又は３に記載の足場板用幅木。
【発明の詳細な説明】
【０００１】
【発明の属する技術分野】
本発明は、建築現場等で仮設される足場板に、その長手方向側縁部に沿って取り付けられる足場板用幅木に関するものである。
【０００２】
【従来の技術及びその課題】
建築現場等における足場板上での高所作業では、作業者の手にしたボルト・ナット、金具類等の種々の施工用部品や工具類、足元に置いた各種資材や用具等を誤って落下させ、事故につながるという危険性が常に付きまとう。そこで、安全対策として、足場板の側縁部に添って幅木を取り付けることが行われているが、従来、足場板用幅木を足場板に取り付けるにあたって、足場板の幅木取付部位にボルト孔等を開けるなど足場板側に何らかの加工を施す必要があるため、在来の足場板をそのまま使用できない難点があり、また幅木取付部分の構成が複雑で、足場板への取り付けに手間がかかるという問題があった。
【０００３】
本発明は、足場板側に何の加工も施す必要がなく、在来の足場板をそのまま使用できると共に、足場板への取付け及び取外しを簡単容易に行える足場板用幅木を提供することを目的とする。
【０００４】
【課題を解決するための手段】
請求項１に係る発明の足場板用幅木Ａは、足場板１の側縁部５上に起立姿勢に配置される幅木本体４を有し、この幅木本体４の一端部には、足場用建枠の横材２を挟んでその両側に対向配置される両足場板１，１の対向端部上面に亘って支持される取付部材３を連結し、この取付部材３の中央部には、前記横材２を足場板掛止用フック８の内側面近傍位置で掴持する掴持手段９を設け、取付部材３の先端部には、幅木本体４の他端部を嵌挿する幅木本体端部嵌挿部１１を設け、取付部材３の両端部には、各足場板１の外側端面６に支持されるアウトガイド１０を設けてなることを特徴とする。
【０００５】
請求項２は、請求項１に記載の足場板用幅木において、掴持手段９は、夫々下端部に掴持用フック部１３を形成し、両掴持用フック部１３，１３が足場用建枠の横材２を掴持する閉鎖位置と横材２を開放する開放位置とに開閉自在に取付部材３に枢着された一対の掴持アーム１２，１２と、両掴持アーム１２，１２の両掴持用フック部１３，１３を閉鎖位置に付勢するバネ１５，１５と、両掴持アーム１２，１２の両掴持用フック部１３，１３を閉鎖位置に固定するロック手段１６とからなることを特徴とする。
【０００６】
請求項３は、請求項１又は２に記載の幅木取付装置において、両掴持用フック部１３，１３の下端部には、両掴持用フック部１３の下端部を上方から足場用建枠の横材２に押し当てることにより両掴持用フック部１３，１３をバネ１５，１５の付勢力に抗して開放させるように案内するテーパガイド１７，１７を設けてなることを特徴とする。
【０００７】
請求項４は、請求項２又は３に記載の幅木取付装置において、ロック手段１６は、掴持アーム１２，１２の枢着部１４，１４を挟んで掴持用フック部１３，１３と反対側の操作用端部１８，１８間で取付部材３に回転自在に取り付けられた略長円形の回転カム体１９と、回転カム体１９を回転操作する操作レバー２０とからなるもので、回転カム体１９をその長手方向が掴持アーム１２と直交するように回転操作することにより、両操作用端部１８，１８の対向方向への揺動を阻止して両掴持用フック部１３，１３を閉鎖位置にロックし、その長手方向が掴持アーム１２と平行するように回転操作することによってロック解除するようになっていることを特徴とする。
【０００８】
【発明の実施の形態】
本発明に係る足場板用幅木Ａについて図面を参照して説明すると、図１の（ａ）は足場板用幅木Ａをその外面側から見た正面図、（ｂ）  は足場板用幅木Ａの平面図、図２は幅木Ａを足場板１に取り付けた状態を示す斜視図、図３は幅木Ａを足場板１に取り付けた状態を外側から見た正面図である。図４の（ａ）  は取付部材３の正面図、（ｂ）  は側面図、図５は取付部材３の平面図であり、また図６は取付部材３の一部縦断面正面図である。図２に概略示すように、足場板１には前後各端面７の左右両端部に足場板掛止用フック８，８が突設され、両フック８，８は足場用建枠（図示省略）の横材２に掛止されるようになっている。
【０００９】
足場板用幅木Ａは、足場板１の側縁部５上に起立姿勢に配置される幅木本体４を有する。この幅木本体４の一端部には、足場用建枠の横材２を挟んでその両側に対向配置される両足場板１，１の対向端部上面に亘って支持される取付部材３が連結され、この取付部材３の中央部には、足場用建枠の横材２を足場板掛止用フック８の内側面近傍位置で掴持する掴持手段９が設けられ、この掴持手段９を挟んで取付部材３の両端部には、各足場板１の外側端面６に支持されるアウトガイド１０が設けられている。
【００１０】
上記足場板用幅木Ａの構造について更に詳しく説明すれば、取付部材３は、図１〜図５に示すように、平面視略コ字状の主体部３ａと、この主体部３ａの両端部に連設された端板部３ｂ，３ｂとからなり、主体部３ａは、中空状に形成されると共に、両側の端板部３ｂ，３ｂに対して前方へ一段突き出るように形成されている。そして、主体部３ａ側に掴持手段９が設けられ、両端板部３ｂ，３ｂに夫々幅木本体端部嵌挿部１１が形成され、一方の端板部３ｂの幅木本体端部嵌挿部１１に一つの足場板用幅木Ａの幅木本体４の一端部が嵌挿されてボルト止めされ、他方の端板部３ｂ（先端部側の端板部３ｂ）の幅木本体端部嵌挿部１１には他の足場板用幅木Ａの幅木本体４の他端部が嵌挿されるようになっている。また各端板部３ｂの背面側外端部にアウトガイド１０が端板部３ｂの下端から所要長さ突出するように固着されている。幅木本体端部嵌挿部１１は、底部１１ａ付きの溝形に形成されている。
【００１１】
掴持手段９は、図６更には図７から分かるうよに、夫々下端部に掴持用フック部１３を形成し、両掴持用フック部１３，１３が足場用建枠の横材２を掴持する閉鎖位置とその横材２を解放する開放位置とに開閉自在に枢軸１４，１４で取付部材３の主体部３ａに枢着された一対の掴持アーム１２，１２と、両掴持アーム１２，１２の両掴持用フック部１３，１３を閉鎖位置に付勢するバネ１５，１５と、両掴持アーム１２，１２の両掴持用フック部１３，１３を閉鎖位置に固定するロック手段１６とによって構成されるもので、バネ１５は掴持アーム１２の上端部と主体部３ａとの間に介装されたコイルバネからなる。
【００１２】
また両掴持用フック部１３，１３の夫々下端部には、図７から分かるように、両掴持用フック部１３，１３の下端部を上方より足場用建枠の横材２に押し当てることによって、閉鎖位置にある両掴持用フック部１３，１３をバネ１５の付勢力に抗して開放させるように案内するテーパガイド１７，１７が形成されている。
【００１３】
両掴持用フック部１３，１３を閉鎖位置に固定するロック手段１６は、図４〜図６に示すように、掴持アーム１２，１２の枢着部である枢軸１４，１４を挟んで掴持用フック部１３，１３と反対側の操作用端部１８，１８間において取付部材３に回転自在に取り付けられた略長円形の回転カム体１９と、この回転カム体１９を回転操作する操作レバー２０とからなるもので、回転カム体１９をその長手方向が掴持アーム１２と直交するように回転操作することにより、両操作用端部１８，１８の対向方向への揺動を阻止して両掴持用フック部１３，１３を閉鎖位置にロックし、その長手方向が掴持アーム１２と平行するように回転操作することによってロック解除するようになっている。
【００１４】
回転カム体１９は、枢軸２１によって取付部材３の主体部３ａに回転自在に取り付けられている。回転カム体１９を回転操作する操作レバー２０は、主体部３ａの正面側（足場板１への取付時に足場板１の内方に面する側）に配置されて、その基端部がビス２２によって回転カム体１９に一体的に連結されている。この操作レバー２０は、その長手方向が回転カム体１９の長手方向と一致するように回転カム体１９に連結されている。従って、操作レバー２０を回動して、図２の実線図示のように掴持アーム１２の長手方向と直交する向き、即ち横向きに位置させると、回転カム体１９はロック位置に設定され、また操作レバー２０を掴持アーム１２と平行する縦向きに位置させると、回転カム体１９はロック解除位置に設定される。
【００１５】
また、図２及び図４に示すように、取付部材３の主体部３ａの正面側には、操作レバー２０を横向き位置（回転カム体１９のロック位置）に位置決めするための位置決めストッパー２３が操作レバー２０の回動中心部の左右両側に設けられている。この位置決めストッパー２３は、主体部３ａに取り付けられる取付板部２３ｂと、この取付板部２３ｂの下端部に直角に突設されたストッパー本体部２３ａとからなるもので、操作レバー２０がストッパー本体部２３ａに当たることによって回転カム体１９のロック位置に位置決めされることになる。
【００１６】
位置決めストッパー２３の取付板部２３ｂには、操作レバー２０に設けられた係合孔２４が係合して操作レバー２０を回転カム体１９のロック位置に保持するための断面円弧状の係合突起２５が突設されている。図１及び図２の（ａ）  には、操作レバー２０が位置決めストッパー２３によって回転カム体１９のロック位置に位置決めされていると共に、操作レバー２０側の係合突起２５とストッパー２３側の係合孔２４とによってその位置に保持されている状態を示す。
【００１７】
また取付部材３の各端板部３ｂには、幅木本体端部嵌挿部１１に幅木Ａの端部を嵌挿してボルト止めするためのボルト挿通孔２６が複数個設けられ、また幅木Ａの一端部には端板部３ｂのボルト挿通孔２６に対応する位置にボルト挿通孔（図示せず）が設けられている。しかして、幅木Ａの一端部に取付部材３を連結するには、取付部材３の一端部側の幅木本体端部嵌挿部１１に幅木Ａの一端部を嵌挿して、端板部３ｂ側のボルト挿通孔２６と幅木Ａ側のボルト挿通孔とに亘ってボルト２８を挿通し、その挿通端部にナット２９を螺合して締め付けることにより、取付部材３を連結固定して、一つの足場板用幅木Ａとする。取付部材３の先端部側の端板部３ｂにある幅木本体端部嵌挿部１１は、他の足場板用幅木Ａにおける幅木本体４の他端部を嵌挿するものである。
【００１８】
以上説明したように構成される足場板用幅木Ａを足場板１に取り付けるには、図２及び図３に示すように、先ず、この幅木Ａを、足場用建枠の横材２に架け渡された足場板１の側縁部５上に配置しながら、取付部材３の主体部３ａに設けてある掴持手段９によって横材２を、足場板掛止用フック８の内側面近傍位置（図４の（ｂ）  参照）で掴持すると共に、取付部材３の両端板部３ｂ，３ｂを、横材２を挟んでその両側に架け渡された足場板１，１の対向端部上面に載置し、そして取付部材３の各端板部３ｂに取り付けてあるアウトガイド１０を足場板１の外側端面６に当接支持させる。
【００１９】
掴持手段９により横材２を掴持するにあたっては、図５の（ａ）  に示すように、両掴持アーム１２，１２の両掴持用フック部１３，１３下端部を上方から足場用建枠の横材２に押し付けると、テーパガイド１７，１７の楔作用により両掴持用フック部１３，１３がバネ１５，１５の付勢力に抗して同図（ｂ）  に示すように開放されて自動的に横材２を掴持し、図４に示す状態となる。
【００２０】
この時、掴持手段９のロック手段１６は、長円形状の回転カム体１９が図５に示されるように掴持アーム１２の長手方向と平行する位置にあって、ロック解除された状態にある。しかして、掴持手段９の両掴持用フック部１３，１３が足場用建枠の横材２を掴持した後、操作レバー２０を掴持アーム１２の長手方向と平行なロック解除位置から図４に示すように左右何れかの方向に９０°回動して、掴持アーム１２の長手方向と直交する横向き位置にセットすることより、両掴持アーム１２，１２の両掴持用フック部１３，１３は、図６に示すように横材２を掴持する閉鎖位置にロックされる。
【００２１】
上記のようにして一つの足場板用幅木Ａを一つの足場板１の側縁部に沿って取り付けたならば、これと隣合う他の足場板１の側縁部に沿って他の足場板用幅木Ａを上記同様な要領で取り付ける。その際に、他の足場板用幅木Ａの幅木本体４の他端部（取付部材３に連結する端部と反対側の端部）を、先に取り付けた足場板用幅木Ａの取付部材３における先端部側の幅木本体端部嵌挿部１１に嵌挿すればよい。この先端部側幅木本体端部嵌挿部１１に他の幅木本体４の他端部を嵌挿する時は、ボルト止めはしなくてもよい。以降は、同様にして足場板用幅木Ａを順次連続的に取り付けてゆく。
【００２２】
尚、最初の一つの足場板用幅木Ａでは、取付部材３に連結された端部（一端部）と反対側の端部（他端部）を固定する必要があるが、当該端部（他端部）は、例えば取付部材３を単独で足場用建枠の横材２側に取付け固定しておいて、この取付部材３の端板部３ｂの幅木本体端部嵌挿部１１に嵌挿するようにする。
【００２３】
また、上述した幅木Ａの取付方法の説明では、幅木Ａを足場板１の一方側の側縁部５に取り付ける場合しか説明していないが、足場板１の他方側の側縁部５に幅木Ａを取り付ける場合は、図２を参照すれば分かるように、取付部材３の左右両端部（端板部３ｂ，３ｂ）の位置が逆向きとなるため、幅木本体４の反対側の端部に取付部材３を連結した幅木Ａを使用すればよい。このために、取付部材３の両端板部３ｂ，３ｂに夫々ボルト挿通孔２６を設けているわけである。
【００２４】
以上説明したように、足場板１の側縁部５に沿って幅木Ａを取り付けるにあたっては、幅木本体４に連結した取付部材３の両端部である端板部３ｂ、３ｂを、足場用建枠の横材２を挟んでその両側に対向して架け渡された足場板１，１の対向端部上面に支持させると共に、取付部材３の中央部にある掴持手段９によって横材２を掴持し、更に取付部材３の両端板部３ｂ，３ｂに取り付けてあるアウトガイド１０，１０を足場板１，１の夫々外側端面６，６に当接支持させることによって、取付部材３は、両足場板１，１の対向端部上面に亘って安定状態に支持され、不動状態に固定される。
【００２５】
この場合、図４の（ｂ）  に示すように、掴持手段９は足場板１を横材２に掛止する足場板掛止用フック８の内側面近傍位置で横材２を掴持し、アウトガイド１０は足場板１の外側端面６に当接支持されるから、取付部材３は足場板長手方向の移動及び足場板幅方向の移動が阻止されると共に、取付部材３の転倒が防止される。転倒については、取付部材３が例えば足場板１の外側方へ転倒しようとすれば、その転倒が掴持手段９によって阻止され、また取付部材３が足場板１の内側方へ転倒しようとすれば、アウトガイド１０によって阻止される。従って、取付部材３は、その両端部である端板部３ｂ、３ｂが両足場板１，１の対向端部上面に支持された状態で、不動の安定姿勢に保持されることになる。
【００２６】
このように両足場板１，１の対向端部上面に亘って不動の安定姿勢に保持される取付部材３に幅木本体４が連結されているから、幅木本体４は、足場板１の側縁部５上に起立姿勢で安定状態に取り付けられることになる。また、足場板１には幅木Ａを取り付けるための加工を何も必要としないから、在来の足場板１をそのまま使用できると共に、足場板１への幅木３の取付け及び取外しを簡単容易に行うことができる。
【００２７】
また、上述した足場板用幅木Ａの掴持手段９は、夫々下端部に掴持用フック部１３を形成し、掴持用フック部１３，１３が足場用建枠の横材２を掴持する閉鎖位置と横材２を解放する開放位置とに開閉自在に装置本体３に枢着された一対の掴持アーム１２，１２と、両掴持アーム１２，１２の両掴持用フック部１３，１３を閉鎖位置に付勢するバネ１５と、両掴持アーム１２，１２の両掴持用フック部１３，１３を閉鎖位置に固定するロック手段１６とによって構成されるため、掴持手段９の構造が簡単で、部品点数が少なく、その製作が容易であると共に、掴持用フック部１３，１３の開閉操作が容易で、横材２に対する掴持操作が容易となり、また故障が少なく、長期に亘って使用できるものである。
【００２８】
この場合、両掴持用フック部１３，１３の下端部に、両掴持用フック部１３の下端部を上方から足場用建枠の横材２に押し当てることによってバネ１５，１５の付勢力に抗して両掴持用フック部１３，１３を開放させるように案内するテーパガイド１７，１７を設けているから、横材２を掴持する際には、両掴持用フック部１３を上方から降ろして下端部を足場用建枠の横材２に押し当てるだけで、両掴持用フック部１３，１３が自動的に開放して横材２を迅速に掴持することができる。
【００２９】
また、上記掴持手段９のロック手段１６は、掴持アーム１２，１２の枢着部１４，１４を挟んで掴持用フック部１３，１３と反対側の操作用端部１８，１８間で装置本体３に回転自在に取り付けられる略長円形の回転カム体１９と、回転カム体１９を回転操作する操作レバー２０とからなるもので、回転カム体１９をその長手方向が掴持アーム１２と直交するように回転操作することにより、両操作用端部１８，１８の対向方向への揺動を阻止して両掴持用フック部１３，１３を閉鎖位置にロックし、その長手方向が掴持アーム１２と平行するように回転操作することによってロック解除するようになっているから、ロック手段１６の構造が極めて簡単で製作が容易となり、また故障が少なく長期に亘って使用可能となる。
【００３０】
【発明の効果】
請求項１に係る足場板用幅木によれば、足場板の側縁部に沿って幅木を取り付けるにあたって、幅木本体に連結した取付部材の両端部である端板部を、足場用建枠の横材を挟んでその両側に対向して架け渡される足場板の対向端部上面に支持させると共に、取付部材の中央部にある掴持手段によって横材を掴持し、更に取付部材の両端板部に取り付けてあるアウトガイドを足場板の夫々外側端面に当接支持させることによって、取付部材を、両足場板の対向端部上面に亘って安定状態に支持させ、不動状態に固定させることができる。このように両足場板の対向端部上面に亘って不動の安定姿勢に固定される取付部材に幅木本体が一体的に連結されているから、幅木本体は、足場板の側縁部上に起立姿勢で安定状態に取り付けられる。
【００３１】
また、幅木本体の一端部に連結された取付部材は、上記のように掴持手段によって横材を掴持し、アウトガイドを足場板の外側端面に当接支持させるだけでよいから、幅木の取付け及び取外しを簡単容易に行うことができる。また、本発明の幅木では、足場板には幅木を取り付けるための加工を何も必要としないから、在来の足場板をそのまま使用することができる。
【００３２】
請求項２に係る足場板用幅木によれば、掴持手段の構造が簡単で部品点数が少なく、その製作が容易であると共に、掴持用フック部の開閉操作が容易で、横材に対する掴持操作が容易となり、また故障が少なく、長期に亘って使用できるものである。
【００３３】
請求項３に係る足場板用幅木によれば、足場用建枠の横材を掴持する際には、両掴持用フック部の下端部を上方より足場用建枠の横材に押し当てるだけで、両掴持用フック部が自動的に開放して横材を迅速に掴持することができる。
【００３４】
請求項４に係る足場板用幅木によれば、ロック手段の構造が極めて簡単で製作が容易となり、故障が少なく長期に亘って使用可能となる。
【図面の簡単な説明】
【図１】（ａ）  は足場板用幅木をその外面側から見た正面図、（ｂ）  は足場板用幅木の平面図である。
【図２】幅木を足場板に取り付けた状態を示す斜視図である。
【図３】幅木を足場板に取り付けた状態を外側から見た正面図である。
【図４】（ａ）  は取付部材の正面図、（ｂ）  は側面図である。
【図５】取付部材の平面図である。
【図６】取付部材の一部縦断面正面図である。
【図７】（ａ）  及び（ｂ）  は掴持手段によって足場用建枠の横材を掴持している状態を示す説明図である。
【符号の説明】
Ａ            足場板用幅木
１            足場板
２            足場用建枠の横材
３            取付部材
４            幅木本体
６            足場板の外側端面
８            足場板掛止用フック
９            掴持手段
１０          アウトガイド
１１          幅木本体端部嵌挿部
１２          掴持アーム
１３          掴持用フック部
１４          枢軸
１５          バネ
１６          ロック手段
１７          テーパガイド
１８          操作用端部
１９          回転カム体
２０          操作レバー
【図１】
2005042309.tif 000003
【図２】
2005042309.tif 000004
【図３】
2005042309.tif 000005
【図４】
2005042309.tif 000006
【図５】
2005042309.tif 000007
【図６】
2005042309.tif 000008
【図７】
2005042309.tif 000009